(57)【特許請求の範囲】
【請求項１】
外装ケースに、光ピックアップとこの光ピックアップを移動自在に支持するシャーシと電源用ガム型電池を内蔵し、カートリッジに収納した光ディスク媒体を前記外装ケースの内部にセットし、光ディスク媒体に対して光ピックアップを光ディスク媒体の径方向に移動させて記録と再生のうちの少なくとも再生を実施する携帯用ディスク装置であって、
ガム型電池の収納部を、ガム型電池の長手方向が前記光ピックアップの移動方向に沿うように光ピックアップとほぼ同一平面上において前記シャーシと外装ケースとによって構成し、
前記ガム型電池の収納部と光ピックアップ移動部との境界に光ピックアップの一方に係合して当該光ピックアップの移動をガイドするガイドレール部を形成した
携帯用ディスク装置。
【請求項２】
シャーシを、光ディスク媒体を回転駆動するモータと、光ピックアップ駆動機構と、前記ガム型電池とを収容する上シャーシと、
前記の上シャーシの下面に重ね合わせられ前記モータと光ピックアップ駆動機構の取付位置を補強する下シャーシとで構成した請求項１記載の携帯用ディスク装置。
【請求項３】
上シャーシと下シャーシとを、上シャーシにおけるガム型電池の収容部との境界付近でアウトサート樹脂成形して結合し、当該樹脂成形で前記ガイドレールを構成した請求項２記載の携帯用ディスク装置。
【発明の詳細な説明】
【０００１】
【発明の属する技術分野】
本発明は携帯用ディスク装置に関するものである。
【０００２】
【従来の技術】
光ディスク媒体を光ピックアップで読み取って再生する携帯用ディスク装置としては、カートリッジに６４ｍｍの光ディスク媒体を内蔵したミニディスク（大きさは７２ｍｍ×６８ｍｍ×５ｍｍ）に記録された音楽を手軽にアウトドアに持ち出して聴けるように、軽量小型化された携帯用ＭＤプレーヤーが一般に普及している。
【０００３】
この携帯用ＭＤプレーヤーでは、本体に内蔵する電源電池として、板状のガム型電池（大きさは６５ｍｍ×１７ｍｍ×６ｍｍ）が使用されている。
このガム型電池は、図１０または図１１に示す配置でＭＤプレーヤーに内蔵されている。
【０００４】
図１０（ａ）に示すシャーシ本体１には、カートリッジ２に内蔵された光ディスク媒体を回転駆動するモータ３と、光ピックアップ４を光ディスク媒体の径方向（矢印Ｋ方向）に駆動する光ピックアップ駆動機構５などが組み付けられている。
【０００５】
光ピックアップ駆動機構５は、外周に螺旋溝が形成された駆動シャフト６と、光ピックアップ４をスライド自在に支持する一対のガイドシャフト７ａ，７ｂと、駆動シャフト６を回転駆動するトラバース用モータ８と、トラバース用モータ８と駆動シャフト６の間に介装された中間ギャー９などで構成されている。光ピックアップ４は、基端部が光ピックアップ４に取り付けられた板バネ１０の先端に設けられた凸部（図示せず）が駆動シャフト６の螺旋溝に係合してトラバース方向に駆動される。
【０００６】
ガム型電池１１は、図１０（ｂ）に示すようにシャーシ本体１に組み付けられた光ピックアップ駆動装置５の背面に重ねて配置してＭＤプレーヤー本体に内蔵させるか、図１１（ａ）（ｂ）に示すようにシャーシー１の側方に配置してＭＤプレーヤー本体に内蔵させられている。
【０００７】
【発明が解決しようとする課題】
しかしながら、図１０の場合には厚みｄが厚くなり過ぎ、図１１の場合には幅がｗだけ大きくなって、ミニディスク（大きさは７２ｍｍ×６８ｍｍ×５ｍｍ）にできるだけジャストフィットさせて、小型化させようとする最近の設計思想にそぐわない構造である。
【０００８】
本発明は、ＭＤプレーヤーの場合にミニディスクの大きさにできるだけジャストフィットさせて、小型化できる携帯用ディスク装置を提供することを目的とする。
【０００９】
【課題を解決するための手段】
本発明の携帯用ディスク装置は、ガム型電池をシャーシの下面に近接して、このガム型電池の長手方向が光ピックアップの移動方向に沿うように配設したことを特徴とする。
【００１０】
この本発明によると、ＭＤプレーヤーの場合にはミニディスクの大きさにできるだけジャストフィットさせて、小型化できる携帯用ディスク装置を実現できる。
【００１１】
【発明の実施の形態】
請求項１記載の携帯用ディスク装置は、外装ケースに、光ピックアップとこの光ピックアップを移動自在に支持するシャーシと電源用ガム型電池を内蔵し、カートリッジに収納した光ディスク媒体を前記外装ケースの内部にセットし、光ディスク媒体に対して光ピックアップを光ディスク媒体の径方向に移動させて記録と再生のうちの少なくとも再生を実施する携帯用ディスク装置であって、ガム型電池の収納部を、ガム型電池の長手方向が前記光ピックアップの移動方向に沿うように光ピックアップとほぼ同一平面上において前記シャーシと外装ケースとによって構成し、前記ガム型電池の収納部と光ピックアップ移動部との境界に光ピックアップの一方に係合して当該光ピックアップの移動をガイドするガイドレール部を形成したことを特徴とする。
【００１２】
請求項２記載の携帯用ディスク装置は、請求項１において、シャーシを、光ディスク媒体を回転駆動するモータと、光ピックアップ駆動機構と、ガム型電池とを収容する上シャーシと、前記の上シャーシの下面に重ね合わせられ前記モータと光ピックアップ駆動機構の取付位置を補強する下シャーシとで構成したことを特徴とする。
【００１３】
請求項３記載の携帯用ディスク装置は、請求項２において、上シャーシと下シャーシとを、上シャーシにおけるガム型電池の収容部との境界付近でアウトサート樹脂成形して結合し、当該樹脂成形で前記ガイドレールを構成したことを特徴とする。
【００１５】
以下、本発明の携帯用ディスク装置を実施の形態に基づいて説明する。
本発明の携帯用ディスク装置は図１〜図９に示すように構成されている。
なお、従来例を示す図１０，図１１と同様の作用を成すものには同一の符号を付けて説明する。
【００１６】
図１の（ａ）は外装ケース２０の上蓋２１を開いてカートリッジ２を着脱する状態を示し、図１の（ｂ）は外装ケース２０の上蓋２１を閉塞した状態を示している。外装ケース２０は上蓋２１と下ケース２２とで構成されており、この外装ケース２０の内部には、カートリッジ２に内蔵された光ディスクを回転するターンテーブル２３とその駆動用モータ３と、光ピックアップ４と、この光ピックアップ４を光ピックアップ駆動機構５によって移動自在に支持するシャーシ本体１と、カートリッジホルダー２４と、電源用ガム型電池１１と、電子回路を構成する電子部品を実装したプリント配線基板１４を内蔵している。
【００１７】
カートリッジホルダー２４は、シャーシ本体１に図１の（ａ）と（ｂ）の位置に回動自在に取り付けられており、この回動は上蓋２１の開閉動作と連動するように構成されている。
【００１８】
光ディスク媒体を収納したカートリッジ２は、図１の（ａ）に示す状態でセットされて、図１の（ｂ）に示す状態に装着することにより、内蔵された光ディスクがターンテーブルで回転可能であり、かつカートリッジ２のシャッター（図示せず）が開いて光ピックアップ４により記録再生が可能となる。４ｅは光ピックアップ４の対物レンズ部である。
【００１９】
図２と図３に示すように、ガム型電池１１の収納部１２は、ガム型電池１１の長手方向（矢印Ｊ方向）が光ピックアップ４の移動方向（矢印Ｋ方向）に沿うように光ピックアップ４とほぼ同一平面上において光ピックアップ駆動機構５に隣接してシャーシ本体１と外装ケース２０の下ケース２２とによって構成されている。さらに詳しくは、シャーシ本体１と前記プリント配線基板１４との間に形成されている。なお、収納部１２の奥端部には、弾性板ばねよりなる端子２５を有し、他方は電池蓋に一体に設けた板ばねよりなる端子２６を有しており、プリント配線基板１４に電気接続されている。
【００２０】
シャーシ本体１は、上シャーシ１ａとこの上シャーシ１ａよりも小さな下シャーシ１ｂとで構成され、ガム型電池の収容部１２の部分のシャーシ本体１は、薄くするために上シャーシ１ａだけで下シャーシ１ｂは存在していないが、ターンテーブル２３とモータ３と光ピックアップ４およびその駆動機構５との組付け位置などは、上シャーシ１ａを下シャーシ１ｂで補強した二重構造になっている。
【００２１】
この上シャーシ１ａと下シャーシ１ｂとの張り合わせは、ガム型電池の収容部１２との境界付近とその他の場所でアウトサート樹脂成形して結合されており、具体的には、図４〜図６に示すように樹脂１３によって上シャーシ１ａと下シャーシ１ｂとが連結されている。ガム型電池の収容部１２との境界付近以外の場所でも、図２と図７に示す駆動シャフト６の軸受部６ａ，６ｂと、モータ３の取付部３ａと、プリント配線基板１４の支持柱１４ａなどの複数箇所でも、それぞれ目的形状に樹脂をアウトサート樹脂成形して上シャーシ１ａと下シャーシ１ｂとが連結されている。図９はモータ３の取付部の断面を示している。
【００２２】
図３に示すように、光ピックアップ４の片側には駆動シャフト６のほぼ外径の孔４ａ，４ｂが形成されており、光ピックアップ４のもう一方の片側には、上下に所定間隔で凸部４ｃ，４ｄが形成されている。光ピックアップ４は、孔４ａ，４ｂに挿通された駆動シャフト６を前記の軸受部６ａ，６ｂに回転自在に取り付け、前記の凸部４ｃ，４ｄで図４に示すように樹脂１３に一体に形成されているピックアップ案内部１３ａを挟んでスライド自在に構成されている。
【００２３】
光ピックアップ４には駆動シャフト６の螺旋溝に係合する凸部を持った板バネ１０が取り付けられており、駆動シャフト６がトラバースモータ８で回転駆動されて光ピックアップ４がトラバース方向に駆動される。
【００２４】
このように、駆動シャフト６と樹脂１３によるピックアップ案内部１３ａとで光ピックアップ４を支持して光ピックアップ駆動機構５の幅Ｍを従来よりも小型化し、この  光ピックアップ駆動機構５に隣接して上シャーシ１ａの上にガム型電池１１を収納するので、図１０に示した従来の装置よりも厚さを薄くでき、また図１１に示した従来の装置よりも幅を狭くすることができ、ミニディスクの大きさにできるだけジャストフィットさせて、小型化できるものである。
【００２５】
また、使用中に携帯用ディスク装置を光ピックアップの移動方向（矢印Ｋ方向）に誤って落下させた事故が発生した場合であっても、ガム型電池１１の衝撃は端子２５で緩衝されて、光ピックアップ４およびその駆動機構５に発生する損傷を軽減でき、落下耐久性が向上する。
【００２６】
【発明の効果】
以上のように本発明によると、ガム型電池の収納部を、ガム型電池の長手方向が光ピックアップの移動方向に沿うように光ピックアップとほぼ同一平面上においてシャーシと外装ケースとによって構成したため、光ピックアップ駆動装置の幅を小型化することによって、光ディスク媒体を内蔵したミニディスクの外形寸法にほぼジャストフィットする携帯用ディスク装置を実現できる。
【００２７】
また、シャーシを、光ディスク媒体を回転駆動するモータと、光ピックアップ駆動機構と、前記ガム型電池とを収容する上シャーシと、上シャーシの下面に重ね合わせられ前記モータと光ピックアップ駆動機構の取付位置を補強する下シャーシとで構成することによって、大きな剛性が必要な部分についてだけは上シャーシと下シャーシとの二重構造になるように張り合わせ、ガム型電池の収納部のようにそれ程の剛性を必要としない部分については上シャーシだけの一重構造にすることができ、電池を収納した場合の装置の厚みを薄型化できるとともに、軽量化を実現できる。
【００２８】
上シャーシと下シャーシとを、上シャーシにおけるガム型電池の収容部との境界付近でアウトサート樹脂成形して結合することによって、両者を容易に張り合わせることができる。
【００２９】
さらに、上シャーシと下シャーシとを、上シャーシにおけるガム型電池の収容部との境界付近でアウトサート樹脂成形して結合するとともに、アウトサート樹脂成形で形成される結合樹脂の一部には組み付けられた光ピックアップに係合して光ピックアップの移動をガイドするガイドレール部を形成することによって、光ピックアップのトラバース方向へのスライドの支持構造を改良して光ピックアップ駆動装置の小型化ならびに、構成部品点数の削減を実現できる。
【図面の簡単な説明】
【図１】本発明の携帯用ディスク装置の断面図
【図２】同実施の形態の組み上げられたシャーシの背面の平面図
【図３】同実施の形態の分解斜視図
【図４】図２のＸ位置の断面図
【図５】図２のＹ位置の断面図
【図６】図２のＺ位置の断面図
【図７】同実施の形態の上シャーシと下シャーシとを一体化したシャーシの平面図
【図８】同実施の形態のモータ取付部の断面図
【図９】同実施の形態の上シャーシと下シャーシとをアウトサート樹脂成形で張り合わせた状態の平面図
【図１０】従来の携帯用ディスク装置におけるシャーシとガム型電池の配置を説明する底面斜視図と概略側面図
【図１１】従来の携帯用ディスク装置におけるシャーシとガム型電池の配置を説明する底面斜視図と概略側面図
【符号の説明】
１    シャーシ本体
１ａ    上シャーシ
１ｂ    下シャーシ
２      カートリッジ
３      モータ
４    光ピックアップ
５    光ピックアップ駆動機構
１１    ガム型電池
１２    ガム型電池の収容部
１３    アウトサート樹脂成形された樹脂
１４    プリント配線基板
２０    外装ケース
２１    外装ケースの上蓋
２２    外装ケースの下ケース
２３    ターンテーブル
２４    カートリッジホルダー
Ｊ    ガム型電池の長手方向
Ｋ    光ピックアップの移動方向
【図１】
0003606719.tif 000002
【図２】
0003606719.tif 000003
【図３】
0003606719.tif 000004
【図４】
0003606719.tif 000005
【図５】
0003606719.tif 000006
【図６】
0003606719.tif 000007
【図７】
0003606719.tif 000008
【図８】
0003606719.tif 000009
【図９】
0003606719.tif 000010
【図１０】
0003606719.tif 000011
【図１１】
0003606719.tif 000012